(57)【要約】【課題】  簡単な構造でセンサの数を少なくすることができ、コストダウンが図られると共に、設計上の制約を少なくできるような用紙幅検出手段を備えた給紙装置を提供する。【解決手段】  用紙載置部２から用紙搬送路５に至る適所に、用紙センサ２４、２５がその幅方向に隔設されてなる用紙幅検出手段２２を備え、少なくとも１つのセンサの検知部には、２つの異なるサイズの用紙に夫々対応する２つの作用部２６、２８が臨設され、この２つの作用部２６、２８は、待機状態では、一方がセンサオフの位置に、他方がセンサオンの位置に維持されるよう構成したことを特徴とする。【選択図】        図２
2005075591.tif 000002
【特許請求の範囲】
【請求項１】
用紙載置部に載置された用紙を、繰出し、１枚ずつ分離しつつ用紙搬送路に沿って給送する給紙装置であって、
上記用紙載置部から用紙搬送路に至る適所に、用紙の存否に基づきオン・オフする複数のセンサがその幅方向に隔設されてなる用紙幅検出手段を備え、
前記センサのうち少なくとも１つのセンサの検知部には、２つの異なるサイズの用紙に夫々対応する２つの作用部が臨設され、この２つの作用部は、待機状態では、一方がセンサオフの位置に、他方がセンサオンの位置に維持され、対応する用紙の作用により、一方がセンサオフの位置からセンサオンの位置に、他方がセンサオンの位置からセンサオフの位置に、各々変位するよう構成されていることを特徴とする給紙装置。
【請求項２】
上記センサが光電センサからなり、上記２つの作用部が用紙の存否によって変位するセンサフィラーであって、このセンサフィラーの変位に伴う光の透過或いは遮断により光電センサのオン・オフがなされるようにしたことを特徴とする請求項１に記載の給紙装置。
【請求項３】
上記一方のセンサフィラーが、光電センサの検知部内を揺動する扇形部片からなり、また、他方のセンサフィラーは、この扇形部片に対応する形状の切欠部が形成されて光電センサの検知部内を揺動する円盤状部片からなり、待機状態では一方のセンサフィラーが扇形部片をして光電センサの検知光を遮断する位置に維持され、他方のセンサフィラーがその切欠部をして扇形部片に重なる位置に維持されるようにしたことを特徴とする請求項２に記載の給紙装置。
【発明の詳細な説明】
【技術分野】
【０００１】
本発明は、給紙装置に関し、特に、検出センサの数を少なくし得る用紙幅検出手段を備えた給紙装置に関する。
【背景技術】
【０００２】
一般に、電子写真複写機やファクシミリ装置においては、原稿トレイにセットされた原稿を１枚ずつ分離して読取部に連続供給する自動原稿送り装置（ＡＤＦ装置）を備えている。また、上記装置やプリンタの場合、カセット式の給紙部や手差しトレイが設けられ、記録紙を１枚ずつ分離して記録部に連続供給するようになされている。上記のようなＡＤＦ装置や、手差しトレイによる給紙装置においては、給送用紙のサイズを判定する為の用紙幅検出手段が用紙載置部や用紙搬送路に設けられ、この用紙幅検出手段による検出情報に基づき読取部や記録部の制御がなされる（例えば、特許文献１を参照）。
【特許文献１】特開平０８−１３３５５１号公報
【発明の開示】
【発明が解決しようとする課題】
【０００３】
上記特許文献１に開示されたシート（用紙）搬送装置においては、例えば、Ａ３用紙を最大サイズとする標準仕様の装置の場合、少なくともＡ４（縦）、Ｂ４（縦）及びＡ３（縦）用紙の夫々の作用によってオンとされる３個のセンサを、用紙給送方向に直交する方向に適宜間隔で併設して用紙幅検出手段を構成している。このように、Ａ３用紙を最大サイズとする標準仕様の装置においては、用紙幅検出手段として最低３個のセンサを必要とし、これがコストアップの一要因となっていた。また、限られたスペース内にその設置スペースを確保する必要があり、設計上の制約も無視できないものであった。尚、ここで（縦）とは、用紙の長辺が用紙の給送方向を向いていることを意味する。
また、その他に、用紙幅検出手段を構成するスライド式ボリューム抵抗器を用いることも行われているが、そのような手段を用いることは装置が大掛かりであってコスト高となり、その制御シークエンスも複雑となることが予想される。
【０００４】
本発明は、上記のような実情に鑑みなされたものであり、簡単な構造でセンサの数を少なくすることができ、コストダウンが図られると共に設計上の制約を少なくすることができる用紙幅検出手段を備えた給紙装置を提供するものである。
【課題を解決するための手段】
【０００５】
本発明は、用紙載置部に載置された用紙を、繰出し、１枚ずつ分離しつつ用紙搬送路に沿って給送する給紙装置に関し、請求項１の発明は、上記用紙載置部から用紙搬送路に至る適所に、用紙の存否に基づきオン・オフする複数のセンサがその幅方向に隔設されてなる用紙幅検出手段を備え、前記センサのうち少なくとも１つのセンサの検知部には、２つの異なるサイズの用紙に夫々対応する２つの作用部が臨設され、この２つの作用部は、待機状態では、一方がセンサオフの位置に、他方がセンサオンの位置に維持され、対応する用紙の作用により、一方がセンサオフの位置からセンサオンの位置に、他方がセンサオンの位置からセンサオフの位置に、夫々変位するよう構成されていることを特徴とする。
【０００６】
請求項２の発明は、上記センサが光電センサからなり、上記２つの作用部が用紙の存否によって変位するセンサフィラーであって、このセンサフィラーの変位に伴う光の透過或いは遮断により光電センサのオン・オフがなされるようにしたことを特徴とする。
【０００７】
請求項３の発明は、上記一方のセンサフィラーが、光電センサの検知部内を揺動する扇形部片からなり、また、他方のセンサフィラーは、この扇形部片に対応する形状の切欠部が形成されて光電センサの検知部内を揺動する円盤状部片からなり、待機状態では一方のセンサフィラーが扇形部片をして光電センサの検知光を遮断する位置に維持され、他方のセンサフィラーがその切欠部をして扇形部片に重なる位置に維持されるようにしたことを特徴とする。
【発明の効果】
【０００８】
請求項１の発明においては、対応する給送用紙の作用により、２つの異なるサイズの用紙に夫々対応する２つの作用部の一方が、センサオフの位置からセンサオンの位置に、他方がセンサオンの位置からセンサオフの位置に、夫々変位するよう構成されているから、１つのセンサにおけるオン・オフ信号の組合わせによって、２種の用紙の幅を推定することが可能となる。従って、ここにおいてセンサを少なくとも１個減らすことができ、コストダウン及び省スペース化を図ることができる。
【０００９】
また、請求項２及び３の発明においては、フィラー形の光電センサの特性を利用し、フィラーの構造上の簡単な工夫によって、上記機能を奏するようになし得るから、設計的に大幅な変更を伴わず実現でき、従って、その実用価値は大である。
【発明を実施するための最良の形態】
【００１０】
以下に本発明の最良の実施の形態について図面を参照して説明する。図１はファクシミリ装置や複写機、或いはファクシミリと複写の両機能を備えた所謂複合機におけるＡＤＦ１の要部の縦断面図を示すものである。図例のＡＤＦ１は、シートものの原稿Ｄを１枚ずつ搬送しながら、その両面の画像を読み取って、それぞれデジタル信号として出力するための自動原稿送り装置として構成されている。
【実施例】
【００１１】
ＡＤＦ１の原稿供給口部２ａには、原稿トレイ２ｂが該原稿供給口部２ａに向かって下方に傾斜するよう着脱自在に装着され、この原稿供給口部２ａと原稿トレイ２ｂとにより原稿載置部（用紙載置部）２が構成されている。原稿供給口部２ａ上には、原稿載置部２に堆積された原稿（用紙）Ｄを上層部より繰出すピックアップローラ３が配設され、このピックアップローラ３に引き続き、繰出された原稿を１枚ずつ分離して給送する原稿分離手段４が装備されている。該原稿分離手段４は、分離ローラ４ａとこの分離ローラ４ａの周体に弾接するよう付勢された分離パッド４ｂとからなる。ピックアップローラ３で繰出された原稿は、分離ローラ４ａと分離パッド４ｂとの間に導入され、分離ローラ４ａの回転に伴う両者の紙に対する摩擦係数の差により、１枚ずつ分離されて下流側に給送される。４ｃは、分離パッド４ｂを分離ローラ４ａの周体に弾接させるための圧縮スプリングである。
【００１２】
上記原稿分離手段４により１枚ずつ分離された原稿は、Ｕターン状に形成された原稿搬送路（原稿給送パス）５に沿って順次配設されたレジストローラ６、第１搬送ローラ７及び第２搬送ローラ８によりレジスト搬送されて第１の読取ポイント（読取部）Ｐ１に至り、更に第３搬送ローラ９により第２の読取ポイントＰ２に給送され、排出ローラ１０により排出トレイ１１に排出される。第１の読取ポイントＰ１にはプラテン１２が配置され、原稿が該プラテン１２上を通過する際、このプラテン１２の下部に待機された読取走査装置１３により原稿表面の画情報が逐次読み取られ、上記のようにデジタル信号として出力される。
【００１３】
この読取走査装置１３は、蛍光灯或いは冷陰極管からなる光源１３ａと、複数のミラー１３ｂ…と、集光レンズ１３ｃと、ＣＣＤ（電荷結合素子）１３ｄとよりなり、これらがユニット化され、キャリッジ１３ｅ上に搭載されている。光源１３ａからの照射光は、プラテン１２上の読取ポイントＰ１を通過する原稿により反射され、その後４個のミラー１３ｂ…で反射を繰り返し、集光レンズ１３ｃで集光され、ＣＣＤ１３ｄに入光する（１点鎖線の光路参照）。ＣＣＤ１３ｄでは、原稿の表面上に描かれた画情報が電気信号に変換され、デジタル信号として出力される。
【００１４】
図例の読取走査装置１３は、フラットベッドスキャナ（ＦＢＳ）にも兼用するよう構成されている。即ち、図示を一部省略したが、図１における破断部分の右側にはＦＢＳ部１４が連成されている。上記キャリッジ１３ｅは、図例ではＡＤＦ原稿の読取位置に静止された状態を示すが、ＦＢＳ原稿の読取時には、ＦＢＳ部１４内に移動し、ＦＢＳ部１４内をプラテンガラス１５の下面に沿って往復移動し、この往復移動の間、プラテンガラス１５上に載置された原稿の画情報が、読取走査装置１３によって上記同様に読み取られる。ＡＤＦ１、原稿トレイ２ｂ及び排出トレイ１１は一体化されてプラテンカバーを構成し、紙面奥側をヒンジ部（不図示）として上下に開閉可能とされている。従って、ＦＢＳ部１４にて原稿読み取りを行う際は、このプラテンカバーを開け、露見したプラテンガラス１５上に原稿を載置することによりなされる。
【００１５】
上記のように、第１の読取ポイントＰ１で表面画像が読み取られた原稿は、さらに、第３搬送ローラ９により搬送されて第２の読取ポイントＰ２に至るが、この第２の読取ポイントＰ２は、搬送原稿の裏面側に配置された密着型イメージセンサ１６と、これに接触的に配置されたプラテンローラ１７との接触点とされる。すなわち、密着型イメージセンサ１６とプラテンローラ１７との間に導入される原稿は、プラテンローラ１７の回転により密着型イメージセンサ１６の読取面を摺接しながら給送され、この間原稿の裏面画像が密着型イメージセンサ１６により読取られ、電気信号に変換されてデジタル信号として出力される。
【００１６】
上記分離ローラ４ａ、レジストローラ６、第１〜第３搬送ローラ７〜９、プラテンローラ１７及び排出ローラ１０は、１個のモーター（不図示）を駆動源とし、適宜ギヤ或いはベルト等の伝達手段（同）を介し駆動伝達がなされ、また適宜電磁クラッチ（同）により個々にオン・オフ制御がなされるよう構成されている。
【００１７】
ピックアップローラ３は、分離ローラ４ａの駆動軸４ｄから駆動伝達されるよう構成される。これを略述すれば、該駆動軸４ｄにはトルクリミッタ（不図示）を介しフレーム３ａが上下揺動可能に取付けられ、このフレーム３ａの先側には支軸３ｂが軸回転可能に支持されている。上記駆動軸４ｄに取付けられたプーリー４ｅと、支軸３ｂに取付けられたプーリー３ｃとの間にベルト３ｄが張設されており、駆動軸４ｄの回転がプーリー４ｅ、ベルト３ｄ及びプーリー３ｃを介して支軸３ｂに伝達され、更にこの支軸３ｂの回転はワンウェイクラッチ（不図示）を介してピックアップローラ３に伝達されるようになされている。
【００１８】
斯く構成されたピックアップローラ３は、待機状態ではフレーム３ａをして上方に位置し、上記駆動軸４ｄが正回転（Ａ方向）すると、上記トルクリミッタの作用によりフレーム３ａが駆動軸４ｄを支点として下方に揺動する。この揺動はピックアップローラ３が原稿載置部２上に堆積された原稿Ｄの最上層部に押当した時に停止するが、駆動軸４ｄの引続く回転により、上記伝達系（プーリー４ｅ、ベルト３ｄ及びプーリー３ｃ）を介しピックアップローラ３が回転する。このように、駆動軸４ｄが正回転している間、ピックアップローラ３は堆積原稿Ｄの最上層部に押当されながら回転するので、原稿Ｄは最上層部より逐次繰出されて行く。そして、駆動軸４ｄが一旦停止し逆回転（反Ａ方向）すると、フレーム３ａがトルクリミッタの作用により上方に揺動し、その後の駆動軸４ｄの停止により、待機状態に静止保持される。
【００１９】
分離ローラ４ａは不図示のワンウェイクラッチを介し駆動軸４ｄから駆動伝達される。従って、駆動軸４ｄの正回転により、上記のようにピックアップローラ３から原稿Ｄが繰出され、繰出された原稿は分離ローラ４ａと分離パッド４ｂとの間に導入され、前記のように１枚ずつ分離されて下流側に給送される。分離ローラ４ａから給送された原稿Ｄは、レジストローラ６によりレジストされて更に下流側に搬送されるが、このレジストローラ６以降の各ローラ７、８、９、１７、１０の周速は、分離ローラ４ａ及びピックアップローラ３の周速より大とされ、分離ローラ４ａとレジストローラ６との間で原稿のページ間隔を確保するようになされている。従って、分離ローラ４ａから給送された原稿Ｄの先端がレジストローラ６に差し掛かるとその周速度差により、原稿に搬送負荷（引張力）が掛かるが、分離ローラ４ａ及びピックアップローラ３には上述のように不図示のワンウェイクラッチが組み込まれており、これにより両ローラ４ａ、３が空回転し、上記搬送負荷が緩和される。
【００２０】
レジストローラ６、第１〜第３搬送ローラ７、８、９及び排出ローラ１０には、夫々プレッシャーローラ６ａ、７ａ、８ａ、９ａ及び１０ａが対設され、原稿はこれらローラにニップされて搬送される。上記分離ローラ４ａとこれに連関するピックアップローラ３及びプレッシャーローラ６ａ、７ａは、ヒンジピン１８ａを支点として上下に開閉可能に枢着されたジャムアクセスカバー１８の内側に取付けられている。従って、第２搬送ローラ８に至るまでの原稿搬送路５で原稿ジャムが発生した場合は、このジャムアクセスカバー１８を開けることにより、分離パッド４ｂ、レジストローラ６、第１搬送ローラ７との間が開放されるので、ジャム原稿の取出しが容易に行える。
【００２１】
また、第２搬送ローラ８、第３搬送ローラ９、これらと対をなすプレッシャーローラ８ａ、９ａ、プラテンローラ１７及び排出ローラ１０は、ＡＤＦ１を含む前記プラテンカバーの機枠をなす機体フレーム１９及びこれに固定された筒状の中間インナーガイドフレーム２０に取付けられている。更に、密着型イメージセンサ１６及びプレッシャーローラ１０ａは、レジストローラ６の駆動軸６ｂに対し該駆動軸６ｂを支点として上下に開閉可能に枢着された中間フレーム２１に取付けられている。第３搬送ローラ９以降でのジャム時には、上記ジャムアクセスカバー１８を開けた上で中間フレーム２１を開ければ、密着型イメージセンサ１６とプラテンローラ１７との間、及び排出ローラ１０とプレッシャーローラ１０ａとのニップ関係が開放されるから、この部分でのジャム原稿の取出しが容易に行える。
【００２２】
原稿載置部２の原稿供給口部２ａ上には、原稿（用紙）幅検出手段２２が、また、第２搬送ローラ８の上流側近傍にはリードセンサ２３が、夫々配設されている。その他、図示はしないが、原稿載置部２上に原稿有無センサ、レジストローラ６の上流側近傍にレジストセンサ等が適宜配設される。リードセンサ２３は、第２搬送ローラ８や読取走査装置１３を動作制御する為の信号を出力するものであり、リードセンサ２３が給送原稿の先端を検出すると、不図示の制御手段は、その検出信号に基づき第２搬送ローラ８を作動して読取ポイントＰに原稿をレジスト搬送すべく制御すると共に、読取走査装置１３をこの原稿の給送に同期させて動作制御する。レジストセンサも、その検出信号に基づき、上記制御手段をしてレジストローラ６の作動制御を行う。
【００２３】
以下、上記原稿幅検出手段２２について図２及び図３を参照して詳述する。該原稿幅検出手段２２は、２個の光電（フォト）センサ２４、２５と、これら光電センサ２４、２５に作用する３個のセンサフィラー（作用部）２６、２７、２８と、これらセンサフィラー２６、２７、２８に連動するよう、原稿の作用を受けて夫々の支軸２９ａ、３０ａ、３１ａを支点として図２の矢視のように上下揺動する用紙側フィラー部片２９、３０、３１とよりなる。光電センサ２４、２５は、従来公知のものであり、コの字型の本体２４ａ、２５ａ内に発光部（不図示）と受光部（同）が対設され、発光部からの光を受光部で受光した時にオン、受光しない時にオフの信号を電気信号として出力するものである。上記センサフィラー２６、２７、２８は、この発光部と受光部間の光路を遮るような位置に臨設される。
【００２４】
上記用紙側フィラー部片２９、３０、３１は、夫々Ａ４（Ｔ）原稿、Ｂ４（Ｔ）又はＢ５（Ｙ）原稿及びＡ３（Ｔ）又はＡ４（Ｙ）原稿の作用を受ける位置に配置されている。図２及び図３における矢印Ｂは、原稿の繰出・給送方向を示し、ここでの（Ｔ）は上記原稿の繰出・給送方向Ｂに沿った縦置きを、（Ｙ）は原稿給送方向Ｂに直交する横置きを、夫々意味する。
【００２５】
第１の光電センサ２４の検知部には、Ａ４（Ｔ）原稿用フィラー部片２９に連関するセンサフィラー２６及びＡ３（Ｔ）又はＡ４（Ｙ）原稿用フィラー部片３１に連関するセンサフィラー２８が臨設し、第２の光電センサ２５には、Ｂ４（Ｔ）原稿用フィラー部片３０に連関するセンサフィラー２７が臨設している。センサフィラー２６、２７は扇形部片からなり、待機状態（フィラー部片２９、３０が原稿の作用を受けない状態）では、各センサ２４、２５の光路を遮る位置（センサオフ）に維持される。また、センサフィラー２８は、センサフィラー２６と略同形状の扇形切欠部２８ａを備えた円盤状部片からなり、待機状態（フィラー部片３１が原稿の作用を受けない状態）では、この扇形切欠部２８ａが上記センサフィラー２６に重なる位置に維持される。従って、センサフィラー２８単独の場合は、この切欠部２８ａを光が透過するから、センサオンの位置となるが、待機状態ではセンサフィラー２６によりセンサ２４はセンサオフの状態とされる。
【００２６】
図３は、原稿幅検出手段２２による原稿幅検出の態様を説明する概略的平面図である。図例では、原稿繰出・給送方向Ｂに向かって右辺側に各原稿を揃える例を示しているが、センタ揃え或いは左辺側揃えも除外するものではない。図３の例は、最大原稿サイズをＡ３としており、このような原稿幅検出手段の配置においては、使用される原稿用紙が定格用紙である場合、原稿載置部２に置かれた原稿束の作用により、以下のような原稿幅情報が得られる。
【００２７】
以下は、前記した不図示の原稿有無センサにより原稿載置部２に原稿が置かれたことを検出した状態であることを前提としている。
（１）いずれのフィラー部片２９、３０、３１にも原稿が作用せず、光電センサ２４及び２５がセンサフィラー２６及び２７によってオフとされている場合、原稿サイズはＢ５（Ｔ）若しくはそれ以下のサイズである。
（２）フィラー部片２９に原稿が作用してセンサフィラー２６はセンサオン位置に変位するが、フィラー部片３０、３１には原稿が作用せず、光電センサ２４は（センサフィラー２８がセンサオン位置にあるから）オンとされると共に、光電センサ２５がセンサフィラー２７によりオフとされている場合、原稿サイズはＡ４（Ｔ）である。
（３）フィラー部片２９及びフィラー部片３０に原稿が作用して、センサフィラー２６、２７がセンサオン位置に変位するが、フィラー部片３１には原稿が作用せず、光電センサ２４及び２５がいずれもオンとされている場合、原稿サイズはＢ４（Ｔ）若しくはＢ５（Ｙ）である。
（４）全てのフィラー部片２９、３０、３１に原稿が作用し、センサフィラー２６、２７がセンサオン位置に変位すると共に、センサフィラー２８はセンサオフ位置に変位し、光電センサ２４がオフ、２５がオンとされている場合、原稿サイズはＡ３（Ｔ）若しくはＡ４（Ｙ）である。
【００２８】
このように、形状的に相関する２つのフィラー２６及び２８を、１つの光電センサ２４の検知部に臨設させることにより、従来のように、フィラー部片２９、３０、３１毎にセンサを設けて原稿幅を検出する場合と同様の機能を奏するものとすることができ、これによりセンサを１個確実に減らすことができる。また、その為の設置スペースを確保する必要がなく、設計の自由度も増大する。
【００２９】
尚、上記（３）（４）では、まだ原稿サイズが確定していないが、この原稿幅検出情報と、原稿長検出手段による検出情報との組合わせにより、その確定がなされる。例えば、原稿搬送路５の適所に配設されたセンサによる給送原稿の先端及び後端検出の時間差から、原稿長を算出し、この算出値と上記原稿幅検出情報との組合わせにより、原稿サイズが確定する。この場合、原稿長が最大原稿長さの１／２（最大原稿がＡ３の場合、２１０ｍｍ）を超えるか超えないかの情報だけでも、定格用紙のサイズ確定がなされる。即ち、（３）の場合で、原稿長さが２１０ｍｍに至らない場合はＢ５（Ｙ）、超える場合はＢ４（Ｔ）であることは明らかであり、また、（４）の場合で、原稿長さが２１０ｍｍを超えない場合はＡ４（Ｙ）、超える場合はＡ３（Ｔ）であることは明らかである。このような原稿長測定手段としては、その他の適宜手段も採用可能であることは言うまでもない。
【００３０】
図１において、３２は原稿先端揃え用シャッタであり、待機状態の時には、原稿載置部２上に突出し、原稿トレイ２ｂ上にセットされる原稿Ｄの先端を揃えることが可能とされている。このシャッタ３２は、分離ローラ４ａの回転に連動して上下揺動するリンク機構（一部図示省略）３３に設けられており、このリンク機構３３の上下揺動により原稿載置部２上に出没するよう構成されている。このように、分離ローラ４ａに機械的に連動させて、シャッタ３２を原稿載置部２上に出没させるようにしているから、ソレノイド等の高価な電気部品を用いることなく簡易に構成することができる。上記原稿幅測定手段２２は、このシャッタ３２の上流側近傍に設置されており、このシャッタ３２により原稿先端を揃えるよう原稿束を原稿載置部２上に載置させれば、原稿幅測定手段２２が確実に作動状態とされる。
【００３１】
尚、上記実施例では、原稿幅測定手段２２を原稿載置部２上に配設した例を示したが、原稿搬送路５の適所に配設することも可能である。このように分離ローラ４ａの下流側に配設した場合、レジストローラ６以降のローラの周速が分離ローラ４ａのそれより大きく設定されているから、給送原稿間にページ間隔が確保され、これにより給送原稿毎の原稿幅検出が可能となり、原稿載置部２上に所謂ミックススタックされた原稿も、原稿毎の的確なサイズ確定が可能となる。また、ＡＤＦ装置について本発明を適用した例を示したが、プリンタ等を含む画像形成装置における記録紙の手差しトレイによる給紙装置にも本発明が適用可能である。更に、ＡＤＦ装置として、両面読取用の例を示したが、片面読取のＡＤＦ装置にも本発明が適用され得ることは言うまでもない。加えて、センサとして光電センサを採用した例を示したが、その他の同様の機能を奏するセンサも採用可能であることは言うまでもない。
【図面の簡単な説明】
【００３２】
【図１】ＡＤＦと走査装置の要部を示す縦断面図である。
【図２】原稿幅検出手段の概略的構造を示す斜視図である。
【図３】原稿幅検出手段による原稿幅検出の態様を説明する概略的平面図である。
【符号の説明】
【００３３】
１    ＡＤＦ（給紙装置）
２    原稿載置部（用紙載置部）
５    原稿搬送路（用紙搬送路）
２２    原稿幅検出手段（用紙幅検出手段）
２４    第１の光電センサ（センサ）
２５    第２の光電センサ（センサ）
２６    センサフィラー（作用部）
２８    センサフィラー（作用部）
２８ａ  切欠部
Ｄ      原稿（用紙）
【図１】
2005075591.tif 000003
【図２】
2005075591.tif 000004
【図３】
2005075591.tif 000005